【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
第１の位置を照明するための第１の光を供給するように構成されている第１の制御可能な光源と、
第２の位置を照明するための第２の光を供給するように構成されている第２の制御可能な光源と、
上記第１の光を受け、上記第１の光の第１の光属性を測定するように構成されている検出器と、
上記第２の制御可能な光源の仕様、及び上記第１の光を供給する上記第１の制御可能な光源の動作パラメータの少なくとも一方を含むデータベースを格納するように構成されているメモリと、
上記第１の光属性を受信し、上記第２の制御可能な光源の仕様と併せて、上記第１の光の上記第１の光属性と実質的に一致する第２の光属性を有する第２の光を第２の位置に供給させるように、上記第２の制御可能な光源を制御するプロセッサと、を備え、
上記プロセッサは、上記第２の位置からの上記第２の制御可能な光源の距離に起因する上記第２の光の変動を補償するために、上記第２の制御可能な光源の動作セッティングを調整するように更に構成されていることを特徴とするシステム。
【請求項２】
上記第２の光を受信し、上記第２の光属性を測定するように構成されているさらなる検出器を更に備えていることを特徴とする請求項１に記載のシステム。
【請求項３】
上記データベースは、上記第１の制御可能な光源の仕様、及び上記第２の光を供給する上記第２の制御可能な光源の動作パラメータの少なくとも一方を更に含むことを特徴とする請求項１に記載のシステム。
【請求項４】
上記検出器は、上記第１の光に含まれるコードから上記第１の制御可能な光源のタイプを識別するように更に構成されていることを特徴とする請求項１に記載のシステム。
【請求項５】
上記プロセッサは、上記タイプに基づいて上記第１の制御可能な光源の仕様を取り出すように更に構成されていることを特徴とする請求項４に記載のシステム。
【請求項６】
上記プロセッサは、上記第１の光内に含まれる第１のコード及び上記第２の光内に含まれる第２のコードの少なくとも一方を、上記検出器、上記第１の制御可能な光源、及び上記第２の制御可能な光源の少なくとも１つから受信するように構成されていることを特徴とする請求項１に記載のシステム。
【請求項７】
上記第１のコードは上記検出器によって検出され、上記検出器は上記第２のコードを検出するために上記第２の位置へ可動であることを特徴とする請求項６に記載のシステム。
【請求項８】
上記プロセッサは、上記第１の光内に含まれる第１のコード及び上記第２の光内に含まれる第２のコードの少なくとも一方を受信するように構成され、上記検出器は、上記第１の光から上記第１のコードを検出して上記第１のコードを上記プロセッサへ供給するように構成され、別の検出器は、上記第２の光から上記第２のコードを検出して上記第２のコードを上記プロセッサへ供給するように構成されていることを特徴とする請求項１に記載のシステム。
【請求項９】
上記プロセッサは、上記第２の制御可能な光源の識別用情報を受信し、上記識別用情報を使用して上記第２の制御可能な光源の上記仕様を取り出すように更に構成されていることを特徴とする請求項１に記載のシステム。
【請求項１０】
上記プロセッサは、上記第２の制御可能な光源に問合わせ、上記問合わせに応答する上記第２の制御可能な光源の識別用情報を受信し、上記識別用情報を使用して上記第２の制御可能な光源の上記仕様を取り出すように更に構成されていることを特徴とする請求項１に記載のシステム。
【請求項１１】
上記第１の制御可能な光源の上記動作パラメータは、上記プロセッサからの要求に応じて上記第１の制御可能な光源から上記プロセッサへ供給されることを特徴とする請求項１に記載のシステム。
【請求項１２】
上記プロセッサは、上記動作パラメータを上記第２の制御可能な光源に適用するように構成されていることを特徴とする請求項１１に記載のシステム。
【請求項１３】
上記プロセッサは、上記第１の制御可能な光源及び上記検出器の少なくとも一方から上記第１の制御可能な光源の識別用情報を受信し、上記検出器は、上記第１の光から上記識別用情報を検出することを特徴とする請求項１に記載のシステム。
【請求項１４】
第１の光源及び第２の光源を制御する方法であって、
上記第１の光源によって供給されて第１の位置を照明している第１の光の第１の光属性を測定するステップと、
上記第２の光源の仕様、及び上記第１の光を供給する上記第１の光源の動作パラメータの少なくとも一方を含むデータベースを格納するステップと、
上記第１の光属性及び上記格納された上記第２の光源の仕様に基づいて、上記第１の光の上記第１の光属性と実質的に一致する第２の光属性を有する第２の光を第２の位置に供給するように上記第２の光源を制御するステップと、
上記第２の位置からの上記第２の光源の距離に起因する上記第２の光の変動を補償するために、上記第２の光源の動作セッティングを調整するステップを含むことを特徴とする方法。
【請求項１５】
上記データベースは、上記第１の光源の仕様、及び上記第２の光を供給する上記第２の光源の動作パラメータの少なくとも一方を更に含むことを特徴とする請求項１４に記載の方法。
【請求項１６】
上記第１の光内に含まれるコードから上記第１の光源のタイプを識別するステップを更に含むことを特徴とする請求項１４に記載の方法。
【請求項１７】
上記タイプに基づいて上記第１の光源の仕様を取り出すステップを更に含むことを特徴とする請求項１６に記載の方法。
【請求項１８】
上記第２の光源の識別用情報を受信するステップと、
上記識別用情報を使用して上記第２の光源の上記仕様を取り出すステップと、
を更に含むことを特徴とする請求項１４に記載の方法。
【請求項１９】
上記第２の光源に問合わせるステップと、
上記問合わせに応答する上記第２の光源の識別情報を受信し、上記識別情報を使用して上記第２の制御可能な光源の上記仕様を取り出すステップと、
を更に含むことを特徴とする請求項１４に記載の方法。
【請求項２０】
上記仕様は、ワイドエリアネットワークから取り出されることを特徴とする請求項１４に記載の方法。
【請求項２１】
上記第１の光源の上記動作パラメータを、上記第２の光源に適用するステップを更に含むことを特徴とする請求項１４に記載の方法。
【請求項２２】
上記第１の光内に含まれる第１のコードを検出器によって検出するステップと、
上記検出器を、上記第２の制御可能な光源からの上記第２の光によって照明される上記第２の位置まで移動させるステップと、
上記第２の光に含まれる第２のコードを上記検出器によって検出するステップと、
上記第１のコード及び上記第２のコードの少なくとも一方を、上記第１の光源、上記第２の光源、及び上記検出器の少なくとも１つによってコントローラへ供給するステップと、
を更に含むことを特徴とする請求項１４に記載の方法。
【請求項２３】
上記第１の光内に含まれる第１のコードを第１の検出器によって検出するステップと、
上記第２の光内に含まれる第２のコードを第２の検出器によって検出するステップと、
上記第１のコード及び上記第２のコードの少なくとも一方を、上記第１の光源、上記第２の光源、上記第１の検出器、及び上記第２の検出器の少なくとも１つによってコントローラへ供給するステップと、
を更に含むことを特徴とする請求項１４に記載の方法。